(57)【要約】【課題】灰皿部のスペースを有効利用することができるようにする。【解決手段】灰皿部２４とメダル受け部１６とを仕切り、灰皿部２４の方向に倒すことで灰皿部２４の底面２４ａを覆うことが可能な仕切り板１０１を設ける。喫煙を行う場合には、仕切り板１０１を起立させて灰皿部２４とメダル受け部１６との仕切りとし、灰皿部２４のスペースを灰皿として利用する。一方、喫煙を行わない場合には、仕切り板１０１を灰皿部２４の方向に倒して、灰皿部２４のスペースをメダル受け部１６の一部として利用する。【選択図】図２
2007229033.tif 000002
【特許請求の範囲】
【請求項１】
外部に払い出された遊技媒体を貯留する受皿部と、当該受皿部に隣接して設けられた灰皿部とを備えた遊技機であって、
前記灰皿部と前記受皿部とを仕切り、前記灰皿部の方向に倒すことで当該灰皿部の底面を覆うことが可能な仕切り板を備えていることを特徴とする遊技機。
【請求項２】
前記灰皿部の底面は前記受皿部の底面よりも低い位置に形成されていることを特徴とする請求項１に記載の遊技機。
【請求項３】
前記灰皿部の底面の上方において断面がＬ字状になるように前記仕切り板に接続され、前記仕切り板が前記灰皿部と前記受皿部とを仕切る際に、前記灰皿部の側面に当接する一方、前記仕切り板を前記灰皿部の方向に倒した際に、前記仕切り板と前記灰皿部の底面との間に収納される接続板を更に備えていることを特徴とする請求項２に記載の遊技機。
【請求項４】
前記灰皿部に上下動可能に設けられ、上面が開口し、前記仕切り板を前記灰皿部の方向に倒した際に、前記仕切り板と前記灰皿部の底面との間に収納することが可能なカップ部と、
前記仕切り板が前記灰皿部と前記受皿部とを仕切る際に、前記カップ部が前記仕切り板の側方に位置するように、前記カップ部を上方向に付勢する付勢手段と、
を更に備えていることを特徴とする請求項２に記載の遊技機。
【請求項５】
外部に払い出された遊技媒体を貯留する受皿部と、当該受皿部に隣接して設けられた灰皿部とを備えた遊技機であって、
前記灰皿部の底面は前記受皿部の底面よりも低い位置に形成されており、
前記灰皿部に上下動可能に設けられ、上面が開口し、前記受皿部の底壁よりも下方に位置することが可能なカップ部と、
前記受皿部の底壁に沿って設けられ、前記カップ部が前記受皿部の底壁よりも下方に位置されたときに、前記灰皿部を閉口するように水平方向にスライド可能なスライド板と、
を備えていることを特徴とする遊技機。
【請求項６】
前記カップ部が前記受皿部の底壁の側方に位置するように、前記カップ部を上方向に付勢する付勢手段を更に備えていることを特徴とする請求項５に記載の遊技機。
【発明の詳細な説明】
【技術分野】
【０００１】
本発明は、獲得したメダルを貯留するメダル受け部と喫煙に用いられる灰皿部とを備えた遊技機に関する。
【背景技術】
【０００２】
従来、所謂パチスロ機と呼ばれる遊技機においては、遊技媒体であるメダルを貯留するメダル受け部と、遊技者の喫煙用の灰皿部とが隣接して設けられている。
【０００３】
特許文献１には、タバコの灰や吸殻によって汚れた灰皿を十分に清掃することができるように、灰皿が着脱可能な遊技機の灰皿構造が開示されている。
【０００４】
【特許文献１】特開２００５−５２３３４号公報
【発明の開示】
【発明が解決しようとする課題】
【０００５】
ところで、喫煙を行わない遊技者や、禁煙コーナーに設置された遊技機においては、灰皿部は不要である。そこで、灰皿部のスペースを有効利用することができることが望まれる。
【０００６】
本発明の目的は、灰皿部のスペースを有効利用することが可能な遊技機を提供することである。
【課題を解決するための手段及び効果】
【０００７】
本発明の遊技機は、外部に払い出された遊技媒体を貯留する受皿部と、当該受皿部に隣接して設けられた灰皿部とを備えた遊技機であって、前記灰皿部と前記受皿部とを仕切り、前記灰皿部の方向に倒すことで当該灰皿部の底面を覆うことが可能な仕切り板を備えていることを特徴とする。
【０００８】
上記の構成によれば、灰皿部と受皿部とを仕切り、灰皿部の方向に倒すことで灰皿部の底面を覆うことが可能な仕切り板を備えているから、仕切り板を起立させて灰皿部と受皿部との仕切りにすることで、遊技者は灰皿部を灰皿として利用して喫煙を行うことができる一方、仕切り板を灰皿部の方向に倒して灰皿部の底面を覆うことで、灰皿部を塞いで受皿部の面積を広くすることができる。よって、喫煙を行う場合には灰皿部のスペースを灰皿として利用し、喫煙を行わない場合には灰皿部のスペースを受皿部の一部として利用することができるから、灰皿部のスペースを有効利用することができる。
【０００９】
また、本発明の遊技機において、前記灰皿部の底面は前記受皿部の底面よりも低い位置に形成されていてよい。上記の構成によれば、灰皿部の底面は受皿部の底面よりも低い位置に形成されているから、灰皿部の底面に溜まったタバコの灰や吸殻に影響されることなく、仕切り板を灰皿部の方向に倒すことができる。
【００１０】
また、本発明の遊技機においては、前記灰皿部の底面の上方において断面がＬ字状になるように前記仕切り板に接続され、前記仕切り板が前記灰皿部と前記受皿部とを仕切る際に、前記灰皿部の側面に当接する一方、前記仕切り板を前記灰皿部の方向に倒した際に、前記仕切り板と前記灰皿部の底面との間に収納される接続板を更に備えていてよい。上記の構成によれば、灰皿部の底面の上方において断面がＬ字状になるように仕切り板に接続され、仕切り板が灰皿部と受皿部とを仕切る際に、灰皿部の側面に当接する一方、仕切り板を灰皿部の方向に倒した際に、仕切り板と灰皿部の底面との間に収納される接続板を更に備えているから、仕切り板が灰皿部と受皿部とを仕切る際に、灰皿部の側面に当接した接続板によって、仕切り板を直立状態に維持することができる。
【００１１】
また、本発明の遊技機においては、前記灰皿部に上下動可能に設けられ、上面が開口し、前記仕切り板を前記灰皿部の方向に倒した際に、前記仕切り板と前記灰皿部の底面との間に収納することが可能なカップ部と、前記仕切り板が前記灰皿部と前記受皿部とを仕切る際に、前記カップ部が前記仕切り板の側方に位置するように、前記カップ部を上方向に付勢する付勢手段と、を更に備えていてよい。上記の構成によれば、仕切り板が灰皿部と受皿部とを仕切る際に、カップ部が仕切り板の側方に位置するように、カップ部を上方向に付勢する付勢手段を備えているから、仕切り板の側方に位置したカップ部によって、仕切り板を直立状態に維持することができる。
【００１２】
また、本発明の遊技機は、外部に払い出された遊技媒体を貯留する受皿部と、当該受皿部に隣接して設けられた灰皿部とを備えた遊技機であって、前記灰皿部の底面は前記受皿部の底面よりも低い位置に形成されており、前記灰皿部に上下動可能に設けられ、上面が開口し、前記受皿部の底壁よりも下方に位置することが可能なカップ部と、前記受皿部の底壁に沿って設けられ、前記カップ部が前記受皿部の底壁よりも下方に位置されたときに、前記灰皿部を閉口するように水平方向にスライド可能なスライド板と、を備えていることを特徴とする。
【００１３】
上記の構成によれば、受皿部の底壁に沿って設けられ、カップ部が受皿部の底壁よりも下方に位置されたときに、灰皿部を閉口するように水平方向にスライド可能なスライド板を備えているから、カップ部の上方を開放することで、遊技者はカップ部を灰皿として利用して喫煙を行うことができる一方、カップ部を受皿部の底壁よりも下方に位置させて、灰皿部を閉口するようにスライド板を水平方向にスライドさせることで、灰皿部を塞いで受皿部の面積を広くすることができる。よって、喫煙を行う場合には灰皿部のスペースを灰皿として利用し、喫煙を行わない場合には灰皿部のスペースを受皿部の一部として利用することができるから、灰皿部のスペースを有効利用することができる。
【００１４】
また、本発明の遊技機においては、前記カップ部が前記受皿部の底壁の側方に位置するように、前記カップ部を上方向に付勢する付勢手段を更に備えていてよい。上記の構成によれば、カップ部が受皿部の底壁の側方に位置するように、カップ部を上方向に付勢する付勢手段を更に備えているから、受皿部に貯留された遊技媒体がカップ部に落下するのを防止することができる。
【発明を実施するための最良の形態】
【００１５】
［第１の実施の形態］
本発明の第１の実施の形態を図１ないし図４に基づいて以下に説明する。
【００１６】
本実施の形態にかかる遊技機は、図１に示すように、所謂『パチスロ機』であり、複数の図柄の変動表示を停止して表示される図柄に基づいて特定の入賞態様が成立するように、遊技者の操作により変動表示を停止可能に構成されている。尚、遊技機は、コインやメダル、遊技球、トークン等の他、遊技者に付与された、もしくは付与される遊技価値の情報を記憶したカード等の遊技媒体を用いて遊技するものであるが、以下の説明においては、メダルを用いるものとして説明する。
【００１７】
（遊技機１の機械的構成）
図１は、遊技機１の外観を示す斜視図である。遊技機１の全体を形成している筐体であるキャビネット２の正面には、略垂直面としてのパネル表示部２ａが形成され、その中央には縦長矩形の表示窓４Ｌ・４Ｃ・４Ｒが設けられている。表示窓４Ｌ・４Ｃ・４Ｒには、入賞ラインとして水平方向にトップライン８ｂ、センターライン８ｃ及びボトムライン８ｄ、斜め方向にクロスダウンライン８ａ及びクロスアップライン８ｅが設けられている。これらの入賞ラインは、後述の１−ＢＥＴボタン１１、２−ＢＥＴボタン１２、最大ＢＥＴボタン１３を操作すること、或いはメダル投入口２２にメダルを投入することにより、それぞれ１本、３本、５本が有効化される。どの入賞ラインが有効化されたかは、後で説明するＢＥＴランプ９ａ・９ｂ・９ｃの点灯で表示される。
【００１８】
ここで、入賞ライン８ａ〜８ｅは、役の入賞の成否に関わる。具体的には、所定の役（例えば、後述の『上チリの小役』）に対応する一の図柄（例えば、後述の「上チリ」）が何れかの有効化された入賞ラインに対応する所定の位置（例えば、後述のＢＥＴ数が「３」であれば左の表示窓４Ｌ内の位置）に停止表示されること、又は所定の役に対応する図柄組み合わせを構成する図柄が何れかの有効化された入賞ラインに対応する所定の位置に並んで停止表示されることにより、所定の役の入賞が成立することとなる。
【００１９】
キャビネット２の内部には、３個のリール３Ｌ・３Ｃ・３Ｒが回転自在に横一列に設けられている。各リール３Ｌ・３Ｃ・３Ｒの外周面には、複数の図柄からなる図柄列が記されている。
【００２０】
図柄列は、「００」〜「２０」のコードナンバーが付された複数種類の図柄からなっている。具体的には、「赤７」、「青７」、「下チリ」、「ベル」、「スイカ」、「Ｒｅｐｌａｙ」および「上チリ」の図柄からなっている。各リールの図柄は、表示窓４Ｌ・４Ｃ・４Ｒを通して観察可能にされている。各リールは、定速回転（例えば８０回転／分）で回転する。
【００２１】
上記の図柄列中における「赤７」、「青７」は、特定の入賞態様を構成するものとして設定されている。ここで、特定の入賞態様とは、後述のＢＢ（ビッグボーナス）やＲＢ（レギュラーボーナス）のボーナスが成立する入賞態様を意味する。
【００２２】
表示窓４Ｌ・４Ｃ・４Ｒの左側には、１−ＢＥＴランプ９ａ、２−ＢＥＴランプ９ｂ、最大ＢＥＴランプ９ｃ、クレジット表示部１９が設けられている。１−ＢＥＴランプ９ａ、２−ＢＥＴランプ９ｂ及び最大ＢＥＴランプ９ｃは、一のゲーム（単位遊技）を行うために賭けられたメダルの数（以下『ＢＥＴ数』という）に応じて点灯する。ここで、本実施の形態では、一のゲームは、全てのリールが停止したときに終了する。１−ＢＥＴランプ９ａは、ＢＥＴ数が「１」で１本の入賞ラインが有効化されたときに点灯する。２−ＢＥＴランプ９ｂは、ＢＥＴ数が「２」で３本の入賞ラインが有効化されたときに点灯する。最大ＢＥＴランプ９ｃは、ＢＥＴ数が「３」で全て（５本）の入賞ラインが有効化されたときに点灯する。クレジット表示部１９は、７セグメントＬＥＤから成り、貯留されているメダルの枚数を表示する。
【００２３】
表示窓４Ｌ・４Ｃ・４Ｒの右側には、当り表示ランプ（所謂ＷＩＮランプ）１７及び払出表示部１８が設けられている。当り表示ランプ１７は、基本的に、ＢＢ又はＲＢの入賞成立が実現可能となった後、ＢＢ又はＲＢの入賞が成立するまでの間、点灯する。ここで、ＢＢ及びＲＢを総称して、以下『ボーナス』という。払出表示部１８は、７セグメントＬＥＤから成り、入賞成立時のメダルの払出枚数を表示する。
【００２４】
パネル表示部２ａの右側上部には、役物作動回数表示部２０が設けられている。役物作動回数表示部２０は、７セグメントＬＥＤを備えており、後で説明するＢＢ一般遊技状態におけるゲームの回数等を表示する。
【００２５】
表示窓４Ｌ・４Ｃ・４Ｒの下方には、水平面の台座部１０が配置されている。台座部１０と表示窓４Ｌ・４Ｃ・４Ｒとの間には、液晶表示装置５が設けられている。液晶表示装置５は、遊技に関連する情報、例えばＢＢ一般遊技状態時における内部当籤役の入賞に関する情報や、遊技上の演出等を表示画面５ａに表示する。
【００２６】
液晶表示装置５の右側には、メダル投入口２２が設けられている。液晶表示装置５の左側には、１−ＢＥＴボタン１１、２−ＢＥＴボタン１２、及び最大ＢＥＴボタン１３が設けられている。１−ＢＥＴボタン１１は、１回の押し操作により、クレジットされているメダルのうちの１枚をゲームへの賭け枚数とする。２−ＢＥＴボタン１２は、１回の押し操作により、クレジットされているメダルのうちの２枚をゲームへの賭け枚数とする。最大ＢＥＴボタン１３は、１回のゲームに賭けることが可能な最大枚数をゲームへの賭け枚数とする。これらのＢＥＴボタン１１・１２・１３を操作することで、前述のとおり、所定の入賞ラインが有効化される。
【００２７】
台座部１０の前面部の左寄りには、遊技者がゲームで獲得したメダルのクレジット／払出しを押しボタン操作で切替えるＣ／Ｐボタン１４が設けられている。このＣ／Ｐボタン１４の切り替えにより、正面下部のメダル払出ロ１５からメダルが払出され、払出されたメダルは受皿部としてのメダル受け部１６に溜められる。このメダル受け部１６の左側には、遊技者が喫煙を行う際に利用する灰皿部２４が隣接して設けられている。
【００２８】
図１の要部Ａの拡大断面図である図２に示すように、メダル受け部１６の底面１６ａ上には、払出されたメダル１１５が溜められている。また、灰皿部２４の底面２４ａは、後述する接続板１０２を収納することができるように、メダル受け部１６の底面１６ａよりも低い位置に形成されている。図２（ａ）に示すように、メダル受け部１６と灰皿部２４との間には仕切り板１０１が設けられて、メダル受け部１６と灰皿部２４とを仕切っている。この仕切り板１０１は、軸１０３により軸支されており、灰皿部２４の方向に倒されることで灰皿部２４の底面２４ａを覆うことが可能である。また、仕切り板１０１の側面１０１ｂには、遊技者が摘まむことが可能な摘まみ１０４が設けられている。また、この仕切り板１０１には、接続板１０２が、灰皿部２４の底面２４ａの上方において断面がＬ字状になるように接続されている。
【００２９】
図２（ａ）において、接続板１０２の端部１０２ａは、灰皿部２４の側面２４ｂに凸設された凸部２４ｃに当接している。これにより、仕切り板１０１は直立状態に維持される。そして、接続板１０２上にタバコの灰や吸殻が溜められる。
【００３０】
そして、図２（ｂ）に示すように、仕切り板１０１を灰皿部２４の方向に倒すと、接続板１０２は仕切り板１０１と灰皿部２４の底面２４ａとの間に収納されるとともに、仕切り板１０１の端部１０１ａが灰皿部２４の側面２４ｂの凸部２４ｃに当接して灰皿部２４の底面２４ａを覆う。このとき、接続板１０２上に溜まっていたタバコの灰や吸殻が灰皿部２４の底面２４ａ上に落ちる。仕切り板１０１を灰皿部２４の方向に倒すことにより、灰皿部２４は塞がれて、メダル受け部１６の底面１６ａと仕切り板１０１の側面１０１ｂとが連続した面となる。よって、仕切り板１０１の側面１０１ｂ上にメダル１１５を載置することが可能となる。つまり、メダル１１５を貯留するメダル受け部１６の面積が広くなる。
【００３１】
このように、仕切り板１０１を灰皿部２４の方向に倒して灰皿部２４の底面２４ａを覆うことで、灰皿部２４を塞いでメダル受け部１６の面積を広くすることができる。よって、喫煙を行う場合には灰皿部２４のスペースを灰皿として利用し、喫煙を行わない場合には灰皿部２４のスペースをメダル受け部１６の一部として利用することができるから、灰皿部２４のスペースを有効利用することができる。
【００３２】
また、灰皿部２４の底面２４ａはメダル受け部１６の底面１６ａよりも低い位置に形成されているから、灰皿部２４の底面２４ａに溜まったタバコの灰や吸殻に影響されることなく、仕切り板１０１を灰皿部２４の方向に倒すことができる。
【００３３】
また、図２（ａ）のように、仕切り板１０１で灰皿部２４とメダル受け部１６とを仕切る際に、灰皿部２４の側面２４ｂの凸部２４ｃに接続板１０２の端部１０２ａが当接するから、これにより仕切り板１０１を直立状態に維持することができる。
【００３４】
図２（ｂ）に示すように、仕切り板１０１が倒された状態において、遊技者が喫煙を行う場合には、摘まみ１０４を引っ張り、接続板１０２の端部１０２ａを灰皿部２４の側面２４ｂの凸部２４ｃに当接させて、仕切り板１０１を直立させればよい。遊技者は、仕切り板１０１を倒したり、直立させたりする動作を、タバコの灰で指を汚すことなく行うことができる。
【００３５】
図１に戻って、Ｃ／Ｐボタン１４の右側には、スタートレバー６が配置されている。スタートレバー６は、所定の角度範囲で回動自在に取り付けられており、遊技者の操作により遊技の開始を指令する信号を出力することによって、リール３Ｌ・３Ｃ・３Ｒを回転させ、表示窓４Ｌ・４Ｃ・４Ｒ内での図柄の変動表示を開始させる。
【００３６】
また、台座部１０の前面部中央には、３個のリール３Ｌ、３Ｒ、３Ｃの回転をそれぞれ停止させるための３個の停止ボタン７Ｌ・７Ｃ・７Ｒが設けられている。
【００３７】
キャビネット２の上方の左右には、スピーカ２１Ｌ・２１Ｒが設けられている。これら２台のスピーカ２１Ｌ・２１Ｒの間には、入賞図柄の組み合わせ及びメダルの配当枚数等を表示する配当表パネル２３が設けられている。また、スピーカ２１Ｌ・２１Ｒや配当表パネル２３の上方にはＬＥＤランプ２９が設けられており、後述の遊技状態に応じた演出等に伴い、点滅等するようになっている。
【００３８】
（遊技機１の電気的構成）
上記のように構成された遊技機１は、図３に示すように、主基板に設けられた主制御回路７１と、副基板に設けられた副制御回路７２とで動作が制御されている。図３に示す主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、主基板側記憶手段であるＲＯＭ３２及びＲＡＭ３３を有している。
【００３９】
ＣＰＵ３１には、基準クロックパルスを発生するクロックパルス発生回路３４及び分周器３５と、サンプリングされる乱数を発生する乱数発生器３６及びサンプリング回路３７とが接続されている。乱数発生器３６は、一定の数値範囲に属する乱数を発生する。サンプリング回路３７は、スタートレバー６が操作された後の適宜のタイミングで１個の乱数をサンプリングする。そして、ＣＰＵ３１は、これらの乱数発生器３６及びサンプリング回路３７でサンプリングされた乱数及びＲＯＭ３２内に格納されている確率抽籤テーブルに基づいて、内部当籤役を決定するようになっている。
【００４０】
尚、乱数サンプリングのための手段として、マイクロコンピュータ３０内で、即ち、ＣＰＵ３１の動作プログラム上で乱数サンプリングを実行するように構成しても良い。その場合、乱数発生器３６及びサンプリング回路３７は省略可能であり、或いは、乱数サンプリング動作のバックアップ用として残しておくことも可能である。
【００４１】
主制御回路７１のＲＡＭ３３には、種々の情報が一時的に格納される。例えば、遊技状態、一の遊技におけるメダル投入数、一の遊技におけるメダル払出数等が格納される。
【００４２】
一方、主制御回路７１のＲＯＭ３２には、スタートレバー６を操作（スタート操作）する毎に行われる乱数サンプリングの判定に用いられる確率抽籤テーブルや停止ボタン７Ｌ・７Ｃ・７Ｒの操作に応じてリール３Ｌ・３Ｃ・３Ｒの停止態様を決定するための停止テーブル群等の各種のデータテーブルと、副制御回路７２へ送信するための各種制御指令（コマンド）等が格納されている。また、ＲＯＭ３２には、後述のメインルーチン等の各処理ルーチンを実行するプログラム等が格納されている。
【００４３】
上記のマイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、当り表示ランプ１７）と、各種表示部（払出表示部１８、クレジット表示部１９、役物作動回数表示部２０）と、メダルを収納し、ホッパー駆動回路４１の命令により所定枚数のメダルを払出すホッパー（払出しのための駆動部を含む）４０と、リール３Ｌ・３Ｃ・３Ｒを回転駆動するステッピングモータ４９Ｌ・４９Ｃ・４９Ｒとがある。
【００４４】
さらに、ステッピングモータ４９Ｌ・４９Ｃ・４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令等の制御信号を受けて、各アクチュエータの動作を制御する。
【００４５】
また、主制御回路７１は、制御指令を発生するために必要な入力信号を発生する入力信号発生手段に接続されている。主な入力信号発生手段としては、スタートスイッチ６Ｓ、１−ＢＥＴスイッチ１１Ｓ、２−ＢＥＴスイッチ１２Ｓ、最大ＢＥＴスイッチ１３Ｓ、Ｃ／Ｐスイッチ１４Ｓ、投入メダルセンサ２２Ｓ、リール停止信号回路４６、リール位置検出回路５０、払出完了信号回路５１がある。これらもＩ／Ｏポート３８を介してＣＰＵ３１に接続されている。
【００４６】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ・７Ｃ・７Ｒの操作に応じてリール停止信号を発生する。リール位置検出回路５０は、リール回転センサからのパルス信号を受けて各リール３Ｌ・３Ｃ・３Ｒの位置を検出するための信号をＣＰＵ３１へ供給する。払出完了信号回路５１は、メダル検出部４０ｓの計数値（ホッパー４０から払出されたメダルの枚数）が指定された枚数データに達した時、メダル払出完了を検知するための信号を発生する。
【００４７】
また、主制御回路７１には、副制御回路７２がコマンドや情報等を一方向に出力可能に接続されている。副制御回路７２は、主制御回路７１からの制御指令（コマンド）に基づいて液晶表示装置５の表示制御、スピーカ２１Ｌ・２１Ｒからの音の出力制御、及び、ＬＥＤランプ２９の出力制御を行う。副制御回路７２は、主制御回路７１を構成する主制御基板とは別の副制御基板上に構成されている。
【００４８】
（遊技状態）
以上のように構成された遊技機１は、『一般遊技状態』、『ＲＢ遊技状態』及び『ＢＢ一般遊技状態』からなる３種類の遊技状態を出現させる。これら「３種類」の各遊技状態は、基本的に、内部当籤する可能性のある役の種類、再遊技に内部当籤する確率及び入賞成立を実現することが可能なボーナスの種別、内部当籤と入賞成立との関係により区別される。
【００４９】
『一般遊技状態』は、基本的に、所謂「出球率」（遊技に賭けられた単位有価価値に対して遊技者に付与される有価価値）の期待値が「１」よりも小さい遊技状態であり、他の遊技状態と比べて遊技者にとって最も不利な遊技状態である。
【００５０】
『ＢＢ一般遊技状態』は、『一般遊技状態』において、ＢＢに内部当籤し、ＢＢに入賞した場合に発生する。ＢＢの入賞は、『一般遊技状態』において「赤７−赤７−赤７」又は「青７−青７−青７」が有効ラインに沿って並ぶことにより成立する。『ＢＢ一般遊技状態』は、３０回の小役ゲーム又は３回のＲＢ（レギュラーボーナス）を消化すると終了する。なお、『ＢＢ一般遊技状態』は、所定枚数のメダルの払い出しが完了すれば終了するようにしてもよい。
【００５１】
『ＲＢ遊技状態』は、『一般遊技状態』よりも出玉率の期待値が高く、他の遊技状態と比べて遊技者にとって最も有利な遊技状態である。『ＲＢ遊技状態』は、『一般遊技状態』又は『ＢＢ一般遊技状態』においてＲＢ（レギュラーボーナス）に入賞した場合に発生する。ＲＢの入賞は、一般遊技状態又はＢＢ一般遊技状態において「赤７−赤７−青７」が有効ラインに沿って並ぶことにより成立する。なお、『ＢＢ一般遊技状態』においてＲＢの入賞が成立することを、一般に『ＪＡＣＩＮ』と称し、その後のゲームを『ＪＡＣゲーム』と称す。なお、各遊技状態間の移行は、ボーナス図柄の組み合せが入賞ライン上に表示されたとき等により移行する。
【００５２】
（図柄組み合わせと払い出し枚数）
次に、遊技状態と入賞成立を示す図柄組み合せとメダルの払い出し枚数との関係について説明する。一般遊技状態においては、『ＢＢ』と、『ＲＢ』と『再遊技（リプレイ）』と『スイカの小役』と『ベルの小役』と『上チリの小役』と『下チリの小役』とに入賞する可能性がある。『ＢＢ』は、「赤７−赤７−赤７」、又は、「青７−青７−青７」が有効ラインに沿って並ぶことにより成立する。『ＲＢ』は、「赤７−赤７−青７」が有効ラインに沿って並ぶことにより成立する。これらのメダルの払い出し枚数は「０枚」である。また、『再遊技（リプレイ）』は、「Ｒｅｐｌａｙ−Ｒｅｐｌａｙ−Ｒｅｐｌａｙ」が並ぶことにより成立する。再遊技の入賞が成立すると、投入したメダルの枚数と同数のメダルが自動投入されるので、遊技者はメダルを消費することなく次回のゲームを行うことができる。また、スイカ、ベル、上チリ、下チリの小役の場合、それぞれ６枚、１０枚、６枚、６枚のメダルが払い出される。
【００５３】
ＢＢ一般遊技状態では、『ＲＢ』と『スイカの小役』と『ベルの小役』と『上チリの小役』と『下チリの小役』とに入賞する可能性がある。また、ＲＢ遊技状態においては、『再遊技』、『スイカ』、『ベル』、『上チリ・下チリ』の小役に入賞する可能性がある。スイカ、ベル、上下チリの小役の場合、それぞれ６枚、１０枚、６枚のメダルが払い出される。
【００５４】
（遊技機１の動作）
上記の構成において、図４に示すメインフローチャートを参照して、主制御回路７１のＣＰＵ３１の制御動作について説明する。
【００５５】
先ず、電源が投入されると、遊技機１は、主制御回路７１において図４のメインルーチンを実行することにより遊技を実施可能な状態になると共に、副制御回路７２において図示しない演出処理ルーチンを実行することにより液晶表示装置５において演出画像の表示等を実施したり、実施可能な状態になる。
【００５６】
（主制御回路７１の動作:メインルーチン）
主制御回路７１によりメインルーチン等が実行されると、図４に示すように、ゲーム開始時の初期化が行われる（Ｓ１）。この後、ゲーム終了時のＲＡＭ３３の所定の記憶内容が消去される（Ｓ２）。次に、メダル投入処理が実行され、ＢＥＴスイッチ１１Ｓ・１２Ｓ・１３Ｓ等からの入力があるまで待機状態となる（Ｓ３）。そして、ＢＥＴスイッチ１１Ｓ・１２Ｓ・１３Ｓ等からの入力があると、メダル投入信号が副制御回路７２に単位遊技の開始信号として送信される。続いて、スタートレバー６の操作によりスタートスイッチ６Ｓがオンされたか否かが判定される（Ｓ４）。スタートスイッチ６Ｓがオンされなければ（Ｓ４，ＮＯ）、Ｓ４が再実行され、スタートレバー６が操作されるまで待機状態とされる。スタートスイッチ６Ｓがオンされると（Ｓ４，ＹＥＳ）、リール回転処理に実行が移行される（Ｓ５）。そして、抽籤用の乱数が抽出され（Ｓ６）、遊技状態監視処理が実行されることによって、今回のゲームにおける遊技状態が確認される（Ｓ７）。
【００５７】
今回のゲームの遊技状態が確認されると、図示しない確率抽籤テーブルに基づく確率抽籤処理において遊技状態に対応した内部当籤役が抽籤され（Ｓ８）、抽籤された内部当籤役の情報が副制御回路７２に出力される。内部当籤役を決定すると、停止テーブル群選択処理が実行される（Ｓ９）。そして、リール回転停止処理が実行される（Ｓ１０）。この後、入賞判定（入賞検索）により表示窓４Ｌ・４Ｃ・４Ｒの図柄の停止態様に基づいて入賞役（入賞が成立した役）が識別され（Ｓ１１）、入賞信号が単位遊技の終了信号として副制御回路７２に出力される。そして、遊技状態に応じてメダルのクレジット又は払出しが行われる（Ｓ１２）。尚、入賞役がＢＢ又はＲＢであると判定された場合には、ＢＢ一般遊技状態又はＲＢ遊技状態の発生が行われる。
【００５８】
ここで、メダルの払出しが行われる場合、図２に示すように、払出されたメダル１１５は、メダル受け部１６の底面１６ａに貯留される。遊技者が喫煙を行わない場合には、仕切り板１０１を灰皿部２４の方向に倒して灰皿部２４の底面２４ａを覆うことで、灰皿部２４を塞いでメダル受け部１６の面積を広くすることができる。よって、喫煙を行う場合には灰皿部２４のスペースを灰皿として利用し、喫煙を行わない場合には灰皿部２４のスペースをメダル受け部１６の一部として利用することができるから、灰皿部２４のスペースを有効利用することができる。
【００５９】
また、灰皿部２４の底面２４ａはメダル受け部１６の底面１６ａよりも低い位置に形成されているから、灰皿部２４の底面２４ａに溜まったタバコの灰や吸殻に影響されることなく、仕切り板１０１を灰皿部２４の方向に倒すことができる。
【００６０】
また、図２（ａ）のように、仕切り板１０１で灰皿部２４とメダル受け部１６とを仕切る際に、灰皿部２４の側面２４ｂの凸部２４ｃに接続板１０２の端部１０２ａが当接するから、これにより仕切り板１０１を直立状態に維持することができる。
【００６１】
図４に戻って、次に、現在の遊技状態がＢＢ一般遊技状態又はＲＢ遊技状態であるか否かが判定される（Ｓ１３）。そして、遊技状態がＢＢ一般遊技状態又はＲＢ遊技状態でない場合には（Ｓ１３，ＮＯ）、Ｓ２が再実行される。一方、遊技状態がＢＢ一般遊技状態又はＲＢ遊技状態である場合には（Ｓ１３，ＹＥＳ）、ボーナスの『遊技数チェック処理』が行われる（Ｓ１４）。この後、ボーナスの終了時であるか否かが判定され（Ｓ１５）、ボーナスの終了時でないと判定された場合には（Ｓ１５，ＮＯ）、Ｓ２が再実行される。一方、ボーナスの終了時であると判定された場合には（Ｓ１５，ＹＥＳ）、ボーナス終了信号が副制御回路７２に出力された後（Ｓ１６）、Ｓ２が再実行される。
【００６２】
（副制御回路７２の動作）
上記の主制御回路７１におけるメインルーチンにより各種の処理が実行されると、処理に応じた結果や内容がコマンドやデータとして副制御回路７２に入力される。副制御回路７２においては、図示しない演出処理ルーチン等をそれぞれ独立して実行している。そして、演出処理ルーチンの実行によりコマンドに基づいた演出画像等を液晶表示装置５に表示する。例えば、メダル投入を示すコマンドが入力された場合には、スタートレバー６の操作を促す演出画像等が液晶表示装置５に表示される。また、液晶表示装置５からの演出にともなって、或いは独立して、ＬＥＤランプ２９による演出、スピーカ２１Ｌ・２１Ｒからの音声による演出を行う。
【００６３】
（本実施の形態の概要）
以上のように、本実施の形態の遊技機１は、外部に払い出された遊技媒体（メダル１１５等）を貯留する受皿部（メダル受け部１６等）と、受皿部に隣接して設けられた灰皿部２４とを備えた遊技機１であって、灰皿部２４と受皿部とを仕切り、灰皿部２４の方向に倒すことで灰皿部２４の底面２４ａを覆うことが可能な仕切り板１０１を備えた構成にされている。
【００６４】
上記の構成によれば、灰皿部２４と受皿部とを仕切り、灰皿部２４の方向に倒すことで灰皿部２４の底面２４ａを覆うことが可能な仕切り板１０１を備えているから、仕切り板１０１を起立させて灰皿部２４と受皿部との仕切りにすることで、遊技者は灰皿部２４を灰皿として利用して喫煙を行うことができる一方、仕切り板１０１を灰皿部２４の方向に倒して灰皿部２４の底面２４ａを覆うことで、灰皿部２４を塞いで受皿部の面積を広くすることができる。よって、喫煙を行う場合には灰皿部２４のスペースを灰皿として利用し、喫煙を行わない場合には灰皿部２４のスペースを受皿部の一部として利用することができるから、灰皿部２４のスペースを有効利用することができる。
【００６５】
また、本実施の形態の遊技機１において、灰皿部２４の底面２４ａは受皿部の底面（メダル受け部１６の底面１６ａ等）よりも低い位置に形成された構成にされている。上記の構成によれば、灰皿部２４の底面２４ａは受皿部の底面よりも低い位置に形成されているから、灰皿部２４の底面２４ａに溜まったタバコの灰や吸殻に影響されることなく、仕切り板１０１を灰皿部２４の方向に倒すことができる。
【００６６】
また、本実施の形態の遊技機１においては、灰皿部２４の底面２４ａの上方において断面がＬ字状になるように仕切り板１０１に接続され、仕切り板１０１が灰皿部２４と受皿部とを仕切る際に、灰皿部２４の側面（凸部２４ｃ等）に当接する一方、仕切り板１０１を灰皿部２４の方向に倒した際に、仕切り板１０１と灰皿部２４の底面２４ａとの間に収納される接続板１０２を更に備えた構成にされている。上記の構成によれば、灰皿部２４の底面２４ａの上方において断面がＬ字状になるように仕切り板１０１に接続され、仕切り板１０１が灰皿部２４と受皿部とを仕切る際に、灰皿部２４の側面に当接する一方、仕切り板１０１を灰皿部２４の方向に倒した際に、仕切り板１０１と灰皿部２４の底面２４ａとの間に収納される接続板１０２を更に備えているから、仕切り板１０１が灰皿部２４と受皿部とを仕切る際に、灰皿部２４の側面に当接した接続板１０２によって、仕切り板１０１を直立状態に維持することができる。
【００６７】
［第２の実施の形態］
（遊技機１の機械的構成）
次に、本発明の第２の実施の形態を図５に基づいて以下に説明する。尚、第１の実施の形態と同一の部材には同一の符号を付記してその説明を省略する。
【００６８】
第２の実施の形態が第１の実施の形態と異なる点は、図１の要部Ａの拡大断面図である図５に示すように、上面が開口したカップ部２０５が、灰皿部２４に上下動可能に設けられているとともに、カップ部２０５が仕切り板２０１の側方に位置するように、カップ部２０５を上方向に付勢する付勢手段としてのバネ２０６が、灰皿部２４の底面２４ａとカップ部２０５との間に設けられている点である。
【００６９】
図５（ａ）に示すように、灰皿部２４の底面２４ａは、カップ部２０５を収納することができるように、メダル受け部１６の底面１６ａよりも低い位置に形成されている。また、メダル受け部１６と灰皿部２４とを仕切る仕切り板２０１は、軸２０３により軸支されており、灰皿部２４の方向に倒されることで灰皿部２４の底面２４ａを覆うことが可能である。仕切り板２０１の側面２０１ｂには、遊技者が摘まむことが可能な摘まみ２０４が設けられている。また、仕切り板２０１の端部２０１ａには、磁石２０１ｃが設けられている。灰皿部２４の側面２４ｂには段部２４ｄが設けられ、段部２４ｄの上方には、磁石２４ｅが設けられている。
【００７０】
図５（ａ）において、カップ部２０５は、バネ２０６により上方向に付勢されて、仕切り板２０１の側方に位置している。仕切り板１０１は、カップ部２０５に寄り掛ることで直立状態に維持される。そして、カップ部２０５の内部にタバコの灰や吸殻が溜められる。
【００７１】
そして、図５（ｂ）に示すように、カップ部２０５を下方に押し込み、仕切り板２０１を灰皿部２４の方向に倒すと、仕切り板２０１の磁石２０１ｃと段部２４ｄの磁石２４ｅとが磁着し、仕切り板２０１が灰皿部２４の底面２４ａを覆う。仕切り板２０１を灰皿部２４の方向に倒すことにより、灰皿部２４は塞がれて、メダル受け部１６の底面１６ａと仕切り板２０１の側面２０１ｂとが連続した面となる。よって、仕切り板２０１の側面２０１ｂ上にメダル１１５を載置することが可能となる。つまり、メダル１１５を貯留するメダル受け部１６の面積が広くなる。なお、磁石２０１ｃと磁石２４ｅとが磁着する力の方が、カップ部２０５を上方に付勢するバネ２０６の力よりも強いことはいうまでもない。
【００７２】
このように、仕切り板２０１を灰皿部２４の方向に倒して灰皿部２４の底面２４ａを覆うことで、灰皿部２４を塞いでメダル受け部１６の面積を広くすることができる。よって、喫煙を行う場合には灰皿部２４のスペースを灰皿として利用し、喫煙を行わない場合には灰皿部２４のスペースをメダル受け部１６の一部として利用することができるから、灰皿部２４のスペースを有効利用することができる。
【００７３】
また、図５（ａ）のように、仕切り板２０１で灰皿部２４とメダル受け部１６とを仕切る際に、バネ２０６によりカップ部２０５が仕切り板２０１の側方に位置されるから、カップ部２０５により仕切り板１０１を直立状態に維持することができる。
【００７４】
図５（ｂ）に示すように、仕切り板２０１が倒された状態において、遊技者が喫煙を行う場合には、摘まみ２０４を引っ張り、磁着していた磁石２０１ｃと磁石２４ｅとを離間させればよい。このようにすることで、カップ部２０５がバネ２０６により上方に移動されて、仕切り板２０１が直立状態にされ、カップ部２０５の開口が露出する。遊技者は、仕切り板２０１を倒したり、直立させたりする動作を、タバコの灰で指を汚すことなく行うことができる。
【００７５】
その他の点は、第１の実施の形態と同じであるため、その説明を省略する。
【００７６】
（本実施の形態の概要）
以上のように、本実施の形態の遊技機１においては、灰皿部２４に上下動可能に設けられ、上面が開口し、仕切り板２０１を灰皿部２４の方向に倒した際に、仕切り板２０１と灰皿部２４の底面２４ａとの間に収納することが可能なカップ部２０５と、仕切り板２０１が灰皿部２４と受皿部とを仕切る際に、カップ部２０５が仕切り板２０１の側方に位置するように、カップ部２０５を上方向に付勢する付勢手段（バネ２０６等）と、を更に備えた構成にされている。上記の構成によれば、仕切り板２０１が灰皿部２４と受皿部とを仕切る際に、カップ部２０５が仕切り板２０１の側方に位置するように、カップ部２０５を上方向に付勢する付勢手段を備えているから、仕切り板２０１の側方に位置したカップ部２０５によって、仕切り板２０１を直立状態に維持することができる。
【００７７】
［第３の実施の形態］
（遊技機１の機械的構成）
次に、本発明の第３の実施の形態を図６に基づいて以下に説明する。尚、第２の実施の形態と同一の部材には同一の符号を付記してその説明を省略する。
【００７８】
第３の実施の形態が第２の実施の形態と異なる点は、図１の要部Ａの拡大断面図である図６に示すように、仕切り板が存在せず、メダル受け部１６の底壁１１６の内部に、水平方向にスライド可能なスライド板３０１が設けられている点である。
【００７９】
図６（ａ）に示すように、カップ部２０５が、バネ２０６により上方向に付勢されて、メダル受け部１６の底壁１１６の側方に位置しているときには、カップ部２０５の側壁２０５ａが灰皿部２４とメダル受け部１６との仕切りとして機能し、メダル受け部１６に貯留されたメダル１１５の灰皿部２４の方向への移動が防止される。このとき、スライド板３０１は底壁１１６の内部に収納されて、その端部３０１ａをカップ部２０５の側壁２０５ａに当接させている。このスライド板３０１は、カップ部２０５がメダル受け部１６の底壁１１６よりも下方に位置されたときに、灰皿部２４を閉口するように水平方向にスライド可能となる。スライド板３０１には、遊技者が摘まむことが可能な摘まみ３０４が設けられている。そして、カップ部２０５の内部にタバコの灰や吸殻が溜められる。
【００８０】
そして、図５（ｂ）に示すように、カップ部２０５を下方に押し込んで、メダル受け部１６の底壁１１６よりも下方に位置させるとともに、摘まみ３０４を左方向に移動させて、スライド板３０１を左方向にスライドさせると、灰皿部２４が閉口され、スライド板３０１が灰皿部２４の底面２４ａを覆う。スライド板３０１の端部３０１ａを灰皿部２４の側面２４ｂに当接させることにより、灰皿部２４は塞がれて、メダル受け部１６の底面１６ａとスライド板３０１の上面３０１ｂとが段状に連続した面となる。よって、スライド板３０１の上面３０１ｂ上にメダル１１５を載置することが可能となる。つまり、メダル１１５を貯留するメダル受け部１６の面積が広くなる。
【００８１】
このように、スライド板３０１を水平方向にスライドさせて、灰皿部２４を閉口させることで、灰皿部２４を塞いでメダル受け部１６の面積を広くすることができる。よって、喫煙を行う場合には灰皿部２４のスペースを灰皿として利用し、喫煙を行わない場合には灰皿部２４のスペースをメダル受け部１６の一部として利用することができるから、灰皿部２４のスペースを有効利用することができる。
【００８２】
また、図６（ａ）のように、カップ部２０５がメダル受け部１６の底壁１１６の側方に位置するように、バネ２０６がカップ部２０５を上方向に付勢するから、メダル受け部１６に貯留されたメダル１１５がカップ部２０５に落下するのを防止することができる。
【００８３】
図６（ｂ）のように、スライド板３０１が灰皿部２４の底面２４ａを覆った状態において、遊技者が喫煙を行う場合には、摘まみ３０４を右方向に移動させて、スライド板３０１を底壁１１６の内部に収納させればよい。このようにすることで、カップ部２０５がバネ２０６により上方に移動されて、底壁１１６の側方に位置され、カップ部２０５の開口が露出する。遊技者は、スライド板３０１をスライドさせる動作を、タバコの灰で指を汚すことなく行うことができる。
【００８４】
その他の点は、第２の実施の形態と同じであるため、その説明を省略する。
【００８５】
（本実施の形態の概要）
以上のように、本実施の形態の遊技機１は、外部に払い出された遊技媒体（メダル１１５等）を貯留する受皿部（メダル受け部１６等）と、受皿部に隣接して設けられた灰皿部２４とを備えた遊技機１であって、灰皿部２４の底面２４ａは受皿部の底面（メダル受け部１６の底面１６ａ等）よりも低い位置に形成されており、灰皿部２４に上下動可能に設けられ、上面が開口し、受皿部の底壁（メダル受け部１６の底壁１１６等）よりも下方に位置することが可能なカップ部２０５と、受皿部の底壁に沿って設けられ、カップ部２０５が受皿部の底壁よりも下方に位置されたときに、灰皿部２４を閉口するように水平方向にスライド可能なスライド板３０１と、を備えた構成にされている。
【００８６】
上記の構成によれば、受皿部の底壁に沿って設けられ、カップ部２０５が受皿部の底壁よりも下方に位置されたときに、灰皿部２４を閉口するように水平方向にスライド可能なスライド板３０１を備えているから、カップ部２０５の上方を開放することで、遊技者はカップ部２０５を灰皿として利用して喫煙を行うことができる一方、カップ部２０５を受皿部の底壁よりも下方に位置させて、灰皿部２４を閉口するようにスライド板３０１を水平方向にスライドさせることで、灰皿部２４を塞いで受皿部の面積を広くすることができる。よって、喫煙を行う場合には灰皿部２４のスペースを灰皿として利用し、喫煙を行わない場合には灰皿部２４のスペースを受皿部の一部として利用することができるから、灰皿部２４のスペースを有効利用することができる。
【００８７】
また、本実施の形態の遊技機１において、カップ部２０５が受皿部の底壁の側方に位置するように、カップ部２０５を上方向に付勢する付勢手段（バネ２０６等）を更に備えた構成にされている。上記の構成によれば、カップ部２０５が受皿部の底壁の側方に位置するように、カップ部２０５を上方向に付勢する付勢手段を更に備えているから、受皿部に貯留された遊技媒体がカップ部２０５に落下するのを防止することができる。
【００８８】
なお、第３の実施の形態においては、仕切り板を設けずに、カップ部２０５の側壁２０５ａを灰皿部２４とメダル受け部１６との仕切りとして機能させる構成にされているが、この構成に限定されるものではなく、摘まみ３０４に代えて仕切り板を設け、仕切り板によりスライド板３０１をスライドさせる構成であってもよい。
【００８９】
また、第１〜第３の実施の形態においては、キャビネット２の前面の一部を覆う程度の液晶表示装置５を用いて説明しているが、キャビネット２の前面全体を覆うように設けられた液晶表示装置５が設けられた構成であってもよい。
【００９０】
（本発明の実施の形態の変形例）
以上、本発明の好適な実施の形態について説明したが、本発明はこれに限定されるものではなく、遊技機は、以下の構成を上述の実施の形態における構成に加えて、或いは重複して備えていても良い。
【００９１】
即ち、遊技機は、所定の遊技結果が表示された場合に遊技者に遊技価値を付与する遊技価値付与手段と、遊技開始指令信号に基づいて所定の役を当籤役として決定する当籤役決定手段と、当籤役に基づいて入賞表示手段に入賞態様を表示させる入賞表示制御手段と、演出表示手段に遊技に関連した演出態様を表示させる演出表示制御手段と、遊技結果表示手段に特定の遊技結果が表示される以前に、特定の遊技結果が表示される可能性があることを予告表示手段に予告態様を表示させる予告表示制御手段と、遊技結果表示手段に特定の遊技結果が表示される以前に特定役蓄積手段が蓄積して記憶している特定の役を当籤役とする蓄積特定役当籤手段とを少なくとも１つ以上備えていても良い。
【００９２】
ここで、上記の『遊技結果表示手段』は、まとめると入賞表示手段、演出表示手段、告知表示手段等を含んで構成されている。それらが、別体の表示装置であっても良いし、単一の表示装置に設けられた所定の表示部（スプライト、深度の異なる３Ｄオブジェクト）でも良い。また、重なって表示されても良い。さらには、１又は複数の音、１又は複数の光、１又は複数の色、１又は複数の画像、１又は複数の臭い等、１又は複数の感触（振動、圧力）のうちの何れか、複数又は全部により遊技者に報知を行なうようになっていても良い。
【００９３】
『遊技価値付与手段』は、遊技価値（コイン）を付与（払出）するプログラム等、有利状態発生手段を含み、賞媒体の払出、磁気カードへの記録、ゲームの得点加算も含む。
【００９４】
『表示制御手段』は、まとめると入賞表示制御手段、演出表示制御手段、告知表示制御手段等を含んで構成されている。単一の基板に設けられていても、別体の複数の基板に設けられても良いし、入賞表示制御手段は当籤役決定手段と同一の基板に設けられても良い。（別体でも良い。）さらには、演出表示制御手段及び告知表示制御手段は、当籤役決定手段と別体の基板に設けられても良い。（別体でも良い。）
【００９５】
『入賞表示手段』は、静止画像・動画像等を表示するものであり、リールやディスクによる移動表示、複数種類の図柄を可変表示または停止表示する１又は複数の図柄表示部から構成されている。例えばパチスロ機やビデオスロットの図柄、パチンコの特図、音図、判定図柄等を表示する。また、遊技結果として、特定の入賞態様を表示すれば何でも良い。
【００９６】
『表示停止指令手段』は、演出表示手段、入賞表示手段、告知表示手段等のうちの１つ、複数、全ての可変表示を停止させる信号を出力しても良いし、１つ又は複数の表示部に対応して１つ設けられていても良い（表示部は、図柄表示部等）。或いは、１つの表示部に対応して複数設けられていても良い（表示部は、図柄表示部等）。
【００９７】
『有利状態発生手段』は、複数の遊技単位の間、継続して遊技者に有利な状態が続けば何でも良い。例えば発生判定、継続判定、途中終了判定、発生、継続、終了等を行なうプログラム等である。また、『当籤役決定手段』は、当籤役抽籤手段、当籤役持越手段、特定役蓄積手段、蓄積特定役当籤手段等から構成されている。
【００９８】
尚、本実施の形態において、『遊技機』は、パチスロ機、スロットマシン、ビデオスロット等を含む。『遊技結果』は、入賞態様、外れ態様、演出態様、告知態様等を含む。『特定の入賞態様』は、特定の図柄の表示（『３』、『７』等）や特定の図柄の組合せの表示（『７７７』『７７６』等）、複数の図柄うちに特定の図柄が含まれている（上チリ、デカチリ等）等を含む。
【００９９】
『外れ態様』は、入賞表示手段に表示される入賞態様以外の態様、演出態様、告知態様等を含む。『所定の遊技結果』は、入賞態様等を含む。『演出態様』は、客待ち中、遊技中、遊技間、入賞（前、中、後）、有利状態（前、中、後）等を盛り上げる態様、または、それらの遊技情報（遊技案内）の報知態様、その他の態様等を含み、『大当り』、『ボーナス』、『外れ』、有利状態の継続数等の文字も含む。
【０１００】
『予告態様』は、所定の当籤役または特定の当籤役が決定されている可能性があることを遊技者に対して予告する態様や外れを予告する態様、また、その演出態様を含む。『外れ？』、『ベル？』、『大当り当籤？』、『ボーナス当籤？』、『遊技手順ナビゲート機能当籤？』等の文字も含む。『告知態様』は、所定の当籤役または特定の当籤役が決定されていることを遊技者に対して告知する態様や、所定の当籤役または特定の当籤役が決定されていないことを遊技者に対して告知する態様を含む。また、その演出態様。『大当り確定』、『ボーナス確定』、『外れ確定』、『ベル確定』、『遊技手順ナビゲート機能当籤？』等の文字も含む。
【０１０１】
『態様』は、１又は複数の図柄（動／静止）画像、１又は複数のキャラクタ（動／静止）画像、１又は複数の背景（動／静止）画像、１又は複数の吹出し（動／静止）画像、１又は複数の文字、１図形、１又は複数の可動物の所定の動作等、１又は複数のランプの点灯、点滅等、１又は複数のスピーカの音等を含む。『遊技情報』は、遊技コンセプト（背景）、遊技のルール、操作説明、リーチ目、チャンス目、役・リプレイの説明、有利状態（ＢＢ，ＲＢ，ＳＢ等）の説明、有利状態（ＢＢ，ＲＢ等）、確率、所定時点（ボーナス、ＢＢ，ＲＢ、所定操作等）からの経過ゲーム数等を含む。
【０１０２】
『遊技開始指令手段』は、スタートレバー、スピンボタン等のスイッチ、遊技媒体投入、図柄始動口（ゲート）等を含む。『表示停止指令手段』は、ボタン、レバー、プログラム（計時手段）等を含む。『図柄表示手段』は、ＣＲＴ、ＬＣＤ、プラズマディスプレイ、７セグ、ドットマトリックス、ランプ、ＬＥＤ、蛍光灯、ＥＬ、電子ペーパ、フレキシブルＬＥＤ、フレキシブル液晶、液晶プロジェクタ、リール、ディスク、可動物等。それらが複数、それらの組合せ等を含む。
【０１０３】
『当籤役』は、複数の役から当籤役決定手段により当籤役として決定された１または複数の役を含む。『入賞役』は、当籤役に対応する入賞態様が表示された役を含む。『遊技価値』は、賞媒体（コイン、メダル、遊技球）の払出し、遊技結果記憶媒体（磁気カード等）への所定の書き込み、リプレイ、得点の加算、有利状態の発生等を含む。『遊技媒体（賞媒体）』は、コイン、メダル、遊技球、貨幣、紙幣、磁気カード等を含む。
【０１０４】
また、パチスロ等における役は、次のうちの１または複数を適用しても良い。外れ、所定枚数の賞媒体を払出す小役、当籤役決定手段が小役を当籤役と決定する確率を１単位遊技（１ゲーム）の間だけ高確率とするシングルボーナス、当籤役決定手段が小役を当籤役と決定する確率を複数単位遊技の間だけ高確率とするレギュラーボーナス、当籤役決定手段がレギュラーボーナスを当籤役と決定する確率を複数単位遊技の間だけ高確率とするビッグボーナス、当籤役決定手段が決定した当籤役に関する情報を遊技者による表示停止指令手段の操作より以前に報知する当籤役ナビゲート機能。停止パターン選択手段が選択した停止パターンに関する情報を遊技者による表示停止指令手段の操作より以前に報知する押順ナビゲート機能。遊技者にとって有利となる遊技手順を報知する遊技手順ナビゲート機能。
【０１０５】
例えば、上述の当籤役ナビゲート機能、左リール、中リール、右リールに対応する左、中、右リール停止ボタンを停止操作する以前に報知されるリール停止パターン（例えば、最初に左リールを停止し、次に中リールを停止、最後に右リールを停止するパターン、同様に左リール停止→右リール停止→中リール停止のパターン、中リール停止→右リール停止→左リール停止のパターン、中リール停止→左リール停止→右リール停止のパターン、右リール停止→左リール停止→中リール停止のパターン、右リール停止→中リール停止→左リール停止のパターン）の６種類等にしたがって、左、中、右リール停止ボタンを停止操作することで入賞表示手段に所定の入賞態様が得られるリール停止ナビゲート機能等。リール停止ナビゲート機能は全てのリール（リール以外で図柄を可変表示する画像表示手段も含まれる）の停止順序をナビゲートしなくても、所定回目（例えば、最初、２番目、３番目等）に停止させるリールを遊技者に報知するようなナビゲート機能も含む。また、所定回目に停止させるリールに所定の図柄が表示されている状態でリールを停止させた場合に入賞表示手段に所定の入賞態様が得られるものも含む。遊技者による表示停止指令手段からの停止指令信号の出力から最小移動（又は略最小変動）で図柄を停止させる機能。遊技媒体の投入無しで１単位遊技の遊技を開始できるリプレイ。
【０１０６】
また、１回の単位遊技は、例えば次のようなもののうち何れかを適用しても良い。遊技開始指令手段からの遊技開始指令信号の出力から遊技結果の表示まで。スタートレバーの操作から入賞表示手段（所定の表示手段）に遊技結果が表示されるまで。スタートレバーの操作から所定の表示手段に特定の表示（例えば、特定の文字情報、特定のキャラクタ、特定の画像）が表示されるまで。ベットボタンが遊技者により操作されたこと、または遊技媒体が遊技者により投入されたこと、等により遊技開始指令信号を出力するように構成し、ベットボタンの操作または遊技媒体の投入から入賞表示手段に遊技結果が表示されるまで。ベットボタンが遊技者により操作されたこと、または遊技媒体が遊技者により投入されたこと、等により遊技開始指令信号を出力するように構成し、ベットボタンの操作または遊技媒体の投入から所定の表示手段に特定の表示が表示されるまで。遊技開始指令信号を出力する図柄始動手段が遊技媒体（例えば遊技球）の投入または通過を検出してから入賞表示手段（所定の表示手段）に遊技結果が表示されるまで。遊技開始指令信号を出力する図柄始動手段が遊技媒体の投入または通過を検出してから所定の表示手段に特定の表示（例えば、特定の文字情報、特定のキャラクタ、特定の画像）が表示されるまで。また、複数単位遊技は、連続的または間欠的な複数回の単位遊技を適用しても良い。
【０１０７】
さらに、本発明は、上述のパチスロ機やパチンコ遊技機等の実機の他、これらのパチスロ機等の実機の動作を家庭用ゲーム機用として擬似的に実行するようなゲームプログラムにおいても、本発明を適用してゲームを実行することができる。その場合、ゲームプログラムを記録する記録媒体は、ＤＶＤ−ＲＯＭ、ＣＤ−ＲＯＭ、ＦＤ（フレキシブルディスク）、その他任意の記録媒体を利用できる。
【０１０８】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【０１０９】
【図１】遊技機の斜視図。
【図２】図１の要部Ａの拡大断面図。
【図３】電気回路の構成を示すブロック図。
【図４】メインルーチンのフローチャート。
【図５】図１の要部Ａの拡大断面図。
【図６】図１の要部Ａの拡大断面図。
【符号の説明】
【０１１０】
１  遊技機
１６  メダル受け部
１６ａ  底面
２４  灰皿部
２４ａ  底面
２４ｃ  凸部
１０１  仕切り板
１０２  接続板
１１５  メダル
【図１】
2007229033.tif 000003
【図２】
2007229033.tif 000004
【図３】
2007229033.tif 000005
【図４】
2007229033.tif 000006
【図５】
2007229033.tif 000007
【図６】
2007229033.tif 000008